(57)【特許請求の範囲】
【請求項１】
原稿内容と、第１のコード情報とが印刷された印刷用紙を読み取り、コード情報付き画像データを作成するスキャナ部と、
前記コード情報付き画像データから前記第１のコード情報を抽出し、前記第１のコード情報が、前記印刷用紙がコピー文書であることを示す複製情報を含む場合、認証情報の入力をユーザに要求し、入力された情報と、前記第１のコード情報に含まれる認証情報とが一致するか否かに基づいて前記印刷用紙のコピーの可否を判定する判定部と、
前記第１のコード情報が前記複製情報を含まない場合、前記複製情報を含む第２のコード情報を作成するコード情報作成部と、
前記判定部によりコピーが許可された場合、前記第１のコード情報および前記原稿内容を画像データ化した原稿データを合成し、あるいは、前記コード情報作成部により前記第２のコード情報が新たに作成された場合、前記第２のコード情報および前記原稿内容を画像データ化した原稿データを合成することにより合成画像データを作成する画像処理部と、
前記合成画像データを印刷する印刷部と、
を備えることを特徴とする画像形成装置。
【請求項２】
請求項１に記載の画像形成装置において、
前記原稿データは、予め記憶部に記憶されており、
前記第１のコード情報は、前記記憶部に予め記憶されている前記原稿データを識別するための識別情報を含み、
前記画像形成装置は、さらに、
前記記憶部に予め記憶されている前記原稿データを、前記識別情報に基づいて取得するデータ取得部、
を備えることを特徴とする画像形成装置。
【請求項３】
請求項１に記載の画像形成装置において、
前記原稿データは、前記スキャナ部によって作成された前記コード情報付き画像データに含まれる画像データであることを特徴とする画像形成装置。
【発明の詳細な説明】
【技術分野】
【０００１】
本発明は、印刷データとともに、印刷データの保存先を示す情報を印刷する画像形成装置に関する。
【背景技術】
【０００２】
一般に、印刷文書をコピーしたコピー文書の画質は、コピーマスタである印刷文書の画質よりも劣化する。このため、コピー文書の画質の劣化を防ぐことを目的として、電子文書の保存先を示す情報が記録されたコード画像を生成し、電子文書とコード画像とを印刷する機能を有する画像形成装置が存在する。
【０００３】
印刷文書をコピーする場合、画像形成装置は、印刷文書に印刷された２次元コードなどのコード画像を解析し、コード画像から取得した保存先情報に基づいて電子文書を取得する。画像形成装置は、印刷文書のコピーに代えて、取得した電子文書を印刷する。これにより、画像形成装置は、コピー文書の画質の劣化を防いでいる。
【０００４】
また、印刷文書から複数部のコピー文書を作成する際に、コピー文書の１部ごとに異なるコード画像を印刷する画像形成装置が開示されている（たとえば、特許文献１参照）。具体的には、特許文献１に開示されている画像形成装置は、印刷文書から取得した保存先情報と、コピー文書の各部に割り当てられた固有の情報とが記録された複数のコード画像を生成する。その後、電子文書と各コード画像とが合成された画像データが印刷されることによって、複数部のコピー文書が作成される。
【０００５】
【特許文献１】特開２００７−５９４１号公報
【発明の開示】
【発明が解決しようとする課題】
【０００６】
上述したように、特許文献１に開示されている画像形成装置は、コピー文書を作成する際に、１部ごとに異なるコード画像を作成する。これにより、配布した複数のコピー文書の中から、特定のコピー文書を探し出すことが可能となる。つまり、コピー文書の管理が容易となる。
【０００７】
また、コピー文書の外部への持ち出しを制限し、コピー文書の秘匿性を確保したい場合がある。しかし、特許文献１に開示されている画像形成装置が作成したコピー文書から、管理の対象外となる２次コピー文書を容易に作成することができる。つまり、特許文献１に開示されている画像形成装置は、コピー文書の秘匿性を確保することが難しいという問題があった。
【０００８】
また、顧客などにコピー文書を提出する場合など、コピー文書にコード画像を印刷する必要のないケースがある。この場合、ユーザは、コピーマスタに印刷されているコード画像を手作業で白く塗りつぶした上で、コピーマスタをコピーする。このように、特許文献１に開示されている画像形成装置は、コピー文書の用途によっては、コピーマスタに対する前処理をユーザが行う必要があるという問題があった。
【０００９】
そこで、本発明は前記問題点に鑑み、コピーマスタに印刷されたコード画像を、コピー文書の使用目的に応じて処理できる画像形成装置を提供することを目的とする。
【課題を解決するための手段】
【００１０】
上記課題を解決するため、請求項１記載の発明は、画像形成装置であって、原稿内容と、第１のコード情報とが印刷された印刷用紙を読み取り、コード情報付き画像データを作成するスキャナ部と、前記コード情報付き画像データから前記第１のコード情報を抽出し、前記第１のコード情報が、前記印刷用紙がコピー文書であることを示す複製情報を含む場合、認証情報の入力をユーザに要求し、入力された情報と、前記第１のコード情報に含まれる認証情報とが一致するか否かに基づいて前記印刷用紙のコピーの可否を判定する判定部と、前記第１のコード情報が前記複製情報を含まない場合、前記複製情報を含む第２のコード情報を作成するコード情報作成部と、前記判定部によりコピーが許可された場合、前記第１のコード情報および前記原稿内容を画像データ化した原稿データを合成し、あるいは、前記コード情報作成部により前記第２のコード情報が新たに作成された場合、前記第２のコード情報および前記原稿内容を画像データ化した原稿データを合成することにより合成画像データを作成する画像処理部と、前記合成画像データを印刷する印刷部と、を備えることを特徴とする。
【００１１】
請求項２記載の発明は、請求項１に記載の画像形成装置において、前記原稿データは、予め記憶部に記憶されており、前記第１のコード情報は、前記記憶部に予め記憶されている前記原稿データを識別するための識別情報を含み、前記画像形成装置は、さらに、前記記憶部に予め記憶されている前記原稿データを、前記識別情報に基づいて取得するデータ取得部、を備えることを特徴とする。
【００１２】
請求項３記載の発明は、請求項１に記載の画像形成装置において、前記原稿データは、前記スキャナ部によって作成された前記コード情報付き画像データに含まれる画像データであることを特徴とする。
【発明の効果】
【００１６】
本発明に係る画像形成装置は、原稿データと、関連情報を含む第１のコード情報とが印刷された印刷用紙をコピーする際に、関連情報と複製情報とが記録された第２のコード情報を作成する。本発明に係る画像形成装置は、第２のコード情報と、コード情報付き画像データに対応する原稿データとを含む合成画像データを印刷して、コピー文書を作成する。これにより、コピー文書に印刷された複製情報に基づいて、コピー文書のコピーを制限することが可能となるため、コピー文書の秘匿性を確保することができる。
【００１７】
また、本発明に係る画像形成装置は、コード情報付き画像データからコード情報が削除された原稿画像データを用いて、コピー文書を作成する。これにより、ユーザは、コード情報が削除されたコピー文書を容易に作成することができる。
【発明を実施するための最良の形態】
【００１８】
｛第１の実施の形態｝
以下、図面を参照しつつ本発明に係る第１の実施の形態について説明する。本実施の形態では、本発明の画像形成装置の一例として、ネットワーク複合機について説明する。図１は、本実施の形態に係るネットワーク複合機１の構成を含むネットワークシステムの構成図である。
【００１９】
図１に示すネットワークシステムは、ネットワーク複合機１と、パーソナルコンピュータ（ＰＣ）２、２と、ファイルサーバ３とが、ローカルエリアネットワーク（ＬＡＮ）４に接続された構成となっている。
【００２０】
ネットワーク複合機１は、コピー機能、プリンタ機能、スキャナ機能、ファクシミリ（ＦＡＸ）機能、およびインターネットＦＡＸ（Ｉ−ＦＡＸ）機能などを備える多機能装置である。ＰＣ２、２は、ユーザが使用する端末装置である。ユーザは、ＰＣ２を操作して、ネットワーク複合機１のプリンタ機能、ＦＡＸ機能、あるいはＩ−ＦＡＸ機能などを利用することができる。ファイルサーバ３は、ネットワーク複合機１の指示に基づいて、原稿データ５２を記憶する。ＬＡＮ４には、インターネットあるいは他のＬＡＮに接続するためのルータ（図示省略）などが設置されている。
【００２１】
まず、ネットワーク複合機１の構成について説明する。ネットワーク複合機１は、制御部１１と、操作部１２と、タッチパネル式ディスプレイ１３と、スキャナ部１４と、プリンタ部１５と、ＦＡＸ部１６と、Ｉ−ＦＡＸ部１７と、通信部１８とを備える。
【００２２】
制御部１１は、データ管理部１１１と、コード処理部１１２と、コピー判定部１１３と、画像処理部１１４と、マイクロプロセッサ（図示省略）と、メインメモリ（図示省略）とを備える。マイクロプロセッサは、ネットワーク複合機１の全体制御を行う。
【００２３】
操作部１２は、ネットワーク複合機１に対する各種の指示を入力するためのハードウェアキーなどで構成される。タッチパネル式ディスプレイ１３は、ネットワーク複合機１に関する情報、および各種の操作メニューを表示する。ユーザは、操作部１２およびタッチパネル式ディスプレイ１３を利用して、ネットワーク複合機１の各種操作をすることが可能である。
【００２４】
スキャナ部１４は、オートドキュメントフィーダ（図示省略）等にセットされたコピーマスタ７３を読み取り、各ページに対応する画像データ５３、５３・・・を出力する。コピーマスタ７３は、印刷文書７１およびコピー文書７２のいずれかを指す。印刷文書７１は、印刷データ５１が印刷された文書であり、コピー文書７２は、印刷文書７１のコピーである。
【００２５】
プリンタ部１５は、合成印刷データ５４１、合成画像データ５４２、あるいはＰＣ２から送信される印刷データ５１などを、各種の設定条件に応じて印刷用紙に印刷する。
【００２６】
ＦＡＸ部１６は、公衆回線網（図示省略）を介してファクシミリ通信を行う。Ｉ−ＦＡＸ部１７は、通信部１８を介してＩ−ＦＡＸの送受信を行う。通信部１８は、ＬＡＮ４あるいはインターネットなどに接続された各コンピュータとの間で、ＴＣＰ／ＩＰなどのプロトコルを利用してデータの送受信を行う。
【００２７】
次に、制御部１１が有する各機能部について説明する。データ管理部１１１は、ＰＣ２から送信された印刷データ５１の印刷の指示を受けて、印刷データ５１を原稿データ５２としてファイルサーバ３に保存する。このとき、データ管理部１１１は、原稿データ５２の保存先を示す保存先情報５８１と、コピーを許可するためのパスワード５８２とが記録された属性情報５８を作成する。また、データ管理部１１１は、参照情報５７に基づいて原稿データ５２を取得する。
【００２８】
ここで、印刷データ５１について説明する。印刷データ５１は、ＰＣ２にインストールされたプリンタドライバによって、ＰＣ２に記憶されたテキストデータなどがＰＤＬ（Ｐａｇｅ  Ｄｅｓｃｒｉｐｔｉｏｎ  Ｌａｎｇｕａｇｅ）データに変換されたデータである。なお、印刷データ５１は、ＰＤＬデータをラスタライズ処理したラスタデータであってもよい。
【００２９】
コード処理部１１２は、画像データ５３から２次元コードを抽出し、抽出した２次元コードから参照情報５７を取得する。また、コード処理部１１２は、データ管理部１１１が作成した属性情報５８が記録されたオリジナルコード５５を作成し、コピー判定部１１３が作成した属性情報５９が記録されたコピーコード５６を作成する。オリジナルコード５５およびコピーコード５６は、たとえば、ＱＲコード（登録商標）などの２次元コードである。なお、コード処理部１１２は、２次元コードに代えて、１次元コード（バーコード）を作成してもよい。
【００３０】
コピー判定部１１３は、コード処理部１１２が取得した参照情報５７に基づいて、コピーマスタ７３が印刷文書７１およびコピー文書７２のどちらであるかを判定する。コピーマスタ７３が印刷文書７１である場合、コピー判定部１１３は、属性情報５９を作成する。コピーマスタ７３がコピー文書７２である場合、コピー判定部１１３は、コピー文書７２をさらにコピーすることを許可するための認証を行う。
【００３１】
画像処理部１１４は、印刷データ５１の印刷の指示を受けた場合、印刷データ５１と、オリジナルコード５５とを合成した合成印刷データ５４１を作成する。また、画像処理部１１４は、コピーコード５６が作成された場合、原稿データ５２とコピーコード５６とを合成した合成画像データ５４２を作成する。
【００３２】
ここで、属性情報５８および属性情報５９について説明する。図２は、属性情報５８の一例を示す図である。図３は、属性情報５９の一例を示す図である。
【００３３】
図２に示すように、属性情報５８は、テキスト形式で作成されたデータであり、印刷データ５１を印刷する際に作成される。保存先情報５８１は、ファイルサーバ３に保存されている原稿データ５２を一意に特定できる情報である。たとえば、保存先情報５８１は、ＵＲＬ（Ｕｎｉｆｏｒｍ  Ｒｅｓｏｒｃｅ  Ｌｏｃａｔｏｒ）などの形式に基づいて記述される。パスワード５８２は、コピー文書７２をさらにコピーすることを許可するための認証情報である。
【００３４】
図３に示すように、属性情報５９は、属性情報５８と同様にテキスト形式で作成されたデータであり、印刷文書７１をコピーする際に作成される。属性情報５９には、保存先情報５８１およびパスワード５８２に加えて、印刷文書７１をコピーしたことを示すコピー済み情報５９１が記述されている。
【００３５】
以下、上述した構成を有するネットワーク複合機１の動作について説明する。ここで、印刷データ５１の印刷処理におけるネットワーク複合機１の動作について説明する。
【００３６】
まず、ユーザは、ＰＣ２を操作して、パスワード５８２を入力し、ＰＣ２に記憶されているテキストデータなどの印刷をＰＣ２に指示する。ＰＣ２のプリンタドライバは、テキストデータをＰＤＬデータに変換して、印刷データ５１を作成する。印刷データ５１およびパスワード５８２は、印刷の指示とともにＬＡＮ４を介してＰＣ２からネットワーク複合機１に送信される。
【００３７】
ネットワーク複合機１の制御部１１は、通信部１８を介して印刷の指示を受信することにより、印刷データ５１の印刷処理を開始する。具体的には、データ管理部１１１は、ＰＣ２から送信された印刷データ５１を、原稿データ５２としてファイルサーバ３に保存する。また、データ管理部１１１は、原稿データ５２の保存先を示す保存先情報５８１を作成する。保存先情報５８１とパスワード５８２とから属性情報５８が作成される。
【００３８】
コード処理部１１２は、属性情報５８を記録したオリジナルコード５５を作成する。画像処理部１１４は、印刷データ５１とオリジナルコード５５とを合成した合成印刷データ５４１を作成する。このとき、オリジナルコード５５は、印刷データ５１の各ページデータと合成される。プリンタ部１５は、合成印刷データ５４１を印刷し、印刷文書７１として出力する。
【００３９】
図４は、ページ数が１ページの印刷データ５１とオリジナルコード５５とが印刷された印刷文書７１を示す図である。図４に示すように、印刷データ５１とオリジナルコード５５とが重ならない状態で印刷されている。なお、画像処理部１１４は、印刷データ５１のサイズが大きいために印刷用紙の余白にオリジナルコード５５を印刷できない場合、印刷データ５１の縮小処理を行う。
【００４０】
なお、ＦＡＸ部１６が受信したＦＡＸデータ、あるいはＩ−ＦＡＸ部１７が受信した電子メールの添付ファイルの印刷時においても、印刷データ５１の印刷処理と同様の処理が行われる。
【００４１】
次に、コピーマスタ７３のコピー処理におけるネットワーク複合機１の動作について、図５を用いて説明する。図５は、コピーマスタ７３のコピー処理におけるネットワーク複合機１の動作の流れを示すフローチャートである。なお、以下の説明において、コピーマスタ７３が１ページの文書であると仮定する。
【００４２】
まず、ユーザが、スキャナ部１４のオートドキュメントフィーダ（図示省略）に、コピーマスタ７３をセットする。ユーザは、操作部１２またはタッチパネル式ディスプレイ１３を操作して、コピーに関する設定情報を入力する。
【００４３】
ユーザは、設定情報の入力後、操作部１２またはタッチパネル式ディスプレイ１３を操作してスキャン開始の指示を入力する。スキャナ部１４は、スキャン開始の指示に基づいて（ステップＳ４０１においてＹｅｓ）、コピーマスタ７３を読み取り、画像データ５３を作成する（ステップＳ４０２）。
【００４４】
コード処理部１１２は、画像データ５３から２次元コードを抽出する（ステップＳ４０３）。コード処理部１１２は、２次元コードを解析して、参照情報５７を取得する（ステップＳ４０４）。参照情報５７は、属性情報５８および属性情報５９のいずれかである。コード処理部１１２が取得した参照情報５７は、コピー判定部１１３に渡される。
【００４５】
コピー判定部１１３は、参照情報５７にコピー済み情報５９１が記録されているかどうかを判定する（ステップＳ４０５）。参照情報５７にコピー済み情報５９１が記録されていない場合（ステップＳ４０５においてＮｏ）、コピー判定部１１３は、コピーマスタ７３が印刷文書７１であると判定する。つまり、画像データ５３中の２次元コードは、オリジナルコード５５であり、参照情報５７は、属性情報５８である。
【００４６】
コピー判定部１１３は、参照情報５７にコピー済み情報５９１を追加することによって、図３に示すような属性情報５９を作成する（ステップＳ４０６）。コピー判定部１１３が作成した属性情報５９は、コード処理部１１２に渡される。コード処理部１１２は、属性情報５９が記録されたコピーコード５６を作成する（ステップＳ４０７）。
【００４７】
データ管理部１１１は、参照情報５７に基づいて、ファイルサーバ３から原稿データ５２を取得する（ステップＳ４０８）。画像処理部１１４は、原稿データ５２とコピーコード５６とを合成して、合成画像データ５４２を作成する（ステップＳ４０９）。プリンタ部１５は、合成画像データ５４２を印刷し（ステップＳ４１０）、図５に示す処理を終了する。
【００４８】
一方、ステップＳ４０５において、参照情報５７にコピー済み情報５９１が記録されている場合（ステップＳ４０５においてＹｅｓ）、コピー判定部１１３は、コピーマスタ７３がコピー文書７２であると判定する。つまり、画像データ５３中の２次元コードは、コピーコード５６であり、参照情報５７は、コピー済み情報５９１が記録されている属性情報５９である。この場合、コピー判定部１１３は、ユーザにパスワードの入力を要求する（ステップＳ４１１）。具体的には、コピー判定部１１３は、コピーマスタ７３がコピー文書７２であることを示すメッセージと、パスワードの入力画面とをタッチパネル式ディスプレイ１３に表示する。
【００４９】
ユーザがパスワードを入力した場合（ステップＳ４１２においてＹｅｓ）、コピー判定部１１３は、パスワード５８２と、ユーザが入力したパスワードとが一致するかどうかを確認する（ステップＳ４１３）。パスワード５８２と、ユーザが入力したパスワードとが一致しない場合（ステップＳ４１３においてＮｏ）、コピー判定部１１３は、パスワードの入力を再び要求する（ステップＳ４１１）。
【００５０】
一方、ステップＳ４１３において、パスワード５８２と、ユーザが入力したパスワードとが一致する場合（ステップＳ４１３においてＹｅｓ）、コピー判定部１１３はコピーマスタ７３のコピーを許可する。データ管理部１１１は、参照情報５７に基づいて原稿データ５２を取得する（ステップＳ４０８）。画像処理部１１４は、原稿データ５２とコピーコード５６とを合成して、合成画像データ５４２を作成する（ステップＳ４０９）。なお、ステップＳ４０９の処理において、画像処理部１１４は、画像データ５３から抽出されたコピーコード５６を用いてもよい。あるいは、画像処理部１１４は、コード処理部１１２が参照情報５７から作成したコピーコード５６を用いてもよい。プリンタ部１５は、合成画像データ５４２を印刷し（ステップＳ４１０）、図５に示す処理を終了する。
【００５１】
なお、コピーマスタ７３が複数のページで構成された文書である場合、ネットワーク複合機１は、ページごとにステップＳ４０２〜Ｓ４１２の動作を行う。
【００５２】
以上説明したように、本実施の形態に係るネットワーク複合機１は、コピーマスタ７３に印刷された２次元コードを解析して、コピーマスタ７３が印刷文書７１およびコピー文書７２のどちらであるかを判定する。これにより、コピー文書７２が無制限にコピーされることを防止できるため、コピー文書７２の秘匿性を確保することができる。
【００５３】
なお、本実施の形態において、コピーマスタ７３がコピー文書７２である場合、コピー判定部１１３がパスワードの入力を要求する例について説明したが、これに限られない。たとえば、コピー判定部１１３は、コピーマスタ７３がコピー文書７２であると判定した場合（ステップＳ４０５においてＹｅｓ）、パスワードの入力を要求しなくてもよい。この場合、コピー判定部１１３は、コピーマスタ７３がコピー文書７２であり、コピーできないことを通知する。そして、制御部１１は、コピーマスタ７３（コピー文書７２）のコピー処理を中止する。これによっても、コピー文書７２のセキュリティを確保することができる。
【００５４】
また、本実施の形態において、コピーマスタ７３が印刷文書７１である場合、ユーザにパスワードの入力を要求しない例について説明したが、これに限られない。コピー判定部１１３は、コピーマスタ７３が印刷文書７１である場合においても、パスワードの入力をユーザに要求してもよい。
【００５５】
また、本実施の形態において、ネットワーク複合機１が原稿データ５２とコピーコード５６とを合成して、合成画像データ５４２を作成する場合を例にして説明したが、これに限られない。たとえば、画像処理部１１４は、ステップＳ４０９に示す処理において、画像データ５３中のオリジナルコード５５をコピーコード５６に書き換えて、合成画像データ５４２を作成してもよい。また、画像処理部１１４は、画像データ５３から印刷データ５１を抽出し、抽出した印刷データ５１とコピーコード５６とを合成してもよい。いずれの場合においても、ステップＳ４０８の処理は省略される。
【００５６】
｛第２の実施の形態｝
以下、図面を参照しつつ本発明に係る第２の実施の形態について説明する。本実施の形態では、第１の実施の形態と同様に、ネットワーク複合機を例にして説明する。
【００５７】
図６は、本実施の形態に係るネットワーク複合機６の構成を含むネットワークシステムの構成図である。図６に示すネットワークシステムにおいて、図１に示す構成要素と同じものについては、同一の符号を付し、その詳細な説明を省略する。また、以下の説明において、ネットワーク複合機６が、コピーマスタ７３をコピーする際に、コピーマスタ７３から作成された画像データ５３を印刷することを前提として説明する。
【００５８】
図６に示すネットワーク複合機６は、コピーマスタ７３のコピー処理において、２次元コードを印刷せずにコピー文書７２を出力する点がネットワーク複合機１と異なる。また、ネットワーク複合機６は、コピーマスタ７３が印刷文書７１であるかコピー文書７２であるかの判定を行わない。このため、図６に示すように、ネットワーク複合機６の制御部１１は、コピー判定部１１３に代えて領域判定部１１６を備える。
【００５９】
次に、ネットワーク複合機６の動作について説明する。以下の説明において、コピーマスタ７３が、図４に示す印刷文書７１であると仮定する。
【００６０】
なお、印刷データ５１の印刷処理におけるネットワーク複合機６の動作は、ネットワーク複合機１と同様であるため、その説明を省略する。ネットワーク複合機６は、コピーマスタ７３のコピー処理において、図５に示す処理に代えて、以下に説明する処理を行う。
【００６１】
まず、ユーザが、スキャナ部１４のオートドキュメントフィーダ（図示省略）に、印刷文書７１をセットする。ユーザは、操作部１２またはタッチパネル式ディスプレイ１３を操作して、コピーに関する設定情報を入力する。このとき、ユーザは、ネットワーク複合機６から出力されるコピー文書７２に、２次元コードを印刷しない旨の設定を行う。
【００６２】
ユーザは、設定情報の入力後、操作部１２またはタッチパネル式ディスプレイ１３を操作してスキャン開始の指示を入力する。スキャナ部１４は、スキャン開始の指示に基づいて、印刷文書７１を読み取り、画像データ５３を作成する。
【００６３】
領域判定部１１６は、画像データ５３中のオリジナルコード５５を検出し、オリジナルコード５５が配置されている領域を示す領域情報６１を作成する。画像処理部１１４は、画像データ５３から、領域情報６１に基づいてオリジナルコード５５を削除した画像データ５４３を作成する。たとえば、画像データ５３において、領域情報６１で指定される領域を白く塗りつぶすことによって、画像データ５４３を作成することができる。オリジナルコード５５が削除された画像データ５４３は、プリンタ部１５によって印刷され、コピー文書７２として出力される。
【００６４】
図７は、ネットワーク複合機６が図４に示す印刷文書７１をコピーしたコピー文書７２を示す図である。図４に示す印刷文書７１には、オリジナルコード５５が印刷されている。一方、図７に示すコピー文書７２では、オリジナルコード５５が印刷されていた領域５５１に、何も印刷されていないことがわかる。
【００６５】
なお、コピーマスタ７３が複数のページで構成されている場合、ネットワーク複合機６は、上述のコピー処理を繰り返すことによって、２次元コードが取り除かれたコピー文書７２を作成する。
【００６６】
このように、本実施の形態に係るネットワーク複合機６は、コピーマスタ７３をコピーする際に、２次元コードを取り除いてコピー文書７２を出力する。これにより、ユーザは、２次元コードが印刷されていないコピー文書７２を、容易に作成することができる。
【００６７】
なお、本実施の形態において、ネットワーク複合機６が、オリジナルコード５５が削除された画像データ５３を用いてコピー文書７２を出力する例について説明したが、これに限られない。たとえば、ネットワーク複合機６は、オリジナルコード５５に記録された保存先情報５８１を用いて、２次元コードが印刷されていないコピー文書７２を作成してもよい。
【００６８】
具体的には、コード処理部１１２は、スキャナ部１４が作成した画像データ５３からオリジナルコード５５を抽出し、オリジナルコード５５を解析して保存先情報５８１を取得する。データ管理部１１１は、コード処理部１１２が取得した保存先情報５８１に基づいて、コピーマスタ７３に対応する原稿データ５２をファイルサーバ３から取得する。プリンタ部１５は、データ管理部１１１が取得した原稿データ５２を印刷して、コピー文書７２を出力する。このとき、コピー文書７２における原稿データ５２の位置は、コピーマスタ７３に印刷されている印刷データ５１の位置と対応していることが望ましい。これにより、ユーザは、コピーマスタ７３の画質とほぼ同じ画質を有し、２次元コードが印刷されていないコピー文書７２を容易に作成することができる。
【図面の簡単な説明】
【００６９】
【図１】本発明の第１の実施の形態に係るネットワーク複合機の構成を含むネットワークシステムの構成図である。
【図２】データ管理部が作成する属性情報の一例を示す図である。
【図３】コピー判定部が作成する属性情報の一例を示す図である。
【図４】オリジナルコードが印刷された印刷文書の一例を示す図である。
【図５】本発明の第１の実施の形態に係るネットワーク複合機のコピー処理における動作の流れを示すフローチャートである。
【図６】本発明の第２の実施の形態に係るネットワーク複合機の構成を含むネットワークシステムの構成図である。
【図７】図４に示す印刷文書をコピーしたコピー文書の一例を示す図である。
【符号の説明】
【００７０】
１、６  ネットワーク複合機
２  パーソナルコンピュータ（ＰＣ）
３  ファイルサーバ
１１  制御部
１２  操作部
１３  タッチパネル式ディスプレイ
１４  スキャナ部
１５  プリンタ部
１６  ＦＡＸ部
１７  Ｉ−ＦＡＸ部
１１１  データ管理部
１１２  コード処理部
１１３  コピー判定部
１１４  画像処理部
１１６  領域判定部
【図１】
0004748169.tif 000002
【図２】
0004748169.tif 000003
【図３】
0004748169.tif 000004
【図４】
0004748169.tif 000005
【図５】
0004748169.tif 000006
【図６】
0004748169.tif 000007
【図７】
0004748169.tif 000008